(57)【要約】【課題】簡単な構造であり、取付け、取り外しが容易な構造を有する被収容用品支持具と、それに用いる連結具、支柱、及び枝状部材を提供すること。【解決手段】被収容用品を支えたり載せたりする枝状部材１３と、この枝状部材を支える支柱１１とを連結する連結具１２について、支柱１１に当接する本体部１２ａと、本体部１２ａから突出し支柱１１に設けた一の連結具結合穴１６に挿入され当該一の連結具結合穴１６の穴側面１６ａに係止する第１爪１２ｂと、本体部１２ａから突出し支柱１１に設けた他の一の連結具結合穴１６に挿入され当該他の一の連結具結合穴１６を貫通して曲折しこの他の一の連結具結合穴１６の穴側面１６ａ及び穴縁１１ｄに係止可能な第２爪１２ｃと、枝状部材１３に結合させる枝結合部と、を有する連結具とした。【選択図】図３
2019048014.tif 000002
【特許請求の範囲】
【請求項１】
被収容用品を支えたり載せたりする枝状部材と、この枝状部材を支える支柱と、枝状部材と支柱とを連結する連結具と、を有する被収容用品支持具において、
支柱は、
連結具との当接面にこの連結具と結合させる複数の連結具結合穴を有し、
連結具は、
支柱に当接する本体部と、
本体部から突出し支柱に設けた一の連結具結合穴に挿入され当該一の連結具結合穴の穴側面に係止する第１爪と、
本体部から突出し支柱に設けた他の一の連結具結合穴に挿入され当該他の一の連結具結合穴を貫通して曲折し、この他の一の連結具結合穴の穴側面及び穴縁に係止可能な第２爪と、枝状部材に結合させる枝結合部と、を有し、
枝状部材は、
前記連結具と結合させる連結具結合部と、
前記連結具によって支柱と連結した状態で支柱から外方に突出する棒状部と、を有することを特徴とする被収容用品支持具。
【請求項２】
前記支柱に結合し、載置面に対して支柱を自立支持する台座部をさらに有する請求項１記載の被収容用品支持具。
【請求項３】
前記支柱を複数有するとともに、この複数の支柱を結合して一体化する梁部材をさらに有する請求項１または請求項２記載の被収容用品支持具。
【請求項４】
支柱、連結具及び枝状部材の少なくとも何れかが、金属、プラスチック、木材、又はこれらの組み合わせから選択された何れかの材料によって形成されたものである請求項１〜請求項３何れか１項記載の被収容用品支持具。
【請求項５】
被収容用品がサーフボード又はウェットスーツである請求項１〜請求項４何れか１項記載の被収容用品支持具。
【請求項６】
被収容用品を支えたり載せたりする枝状部材と、この枝状部材を支える支柱とを連結する連結具であって、
支柱に当接する本体部と、本体部から突出し支柱に設けた一の連結具結合穴に挿入され当該一の連結具結合穴の穴側面に係止する第１爪と、本体部から突出し支柱に設けた他の一の連結具結合穴に挿入され当該他の一の連結具結合穴を貫通して曲折しこの他の一の連結具結合穴の穴側面及び穴縁に係止可能な第２爪と、枝状部材に結合させる枝結合部と、を有する連結具。
【請求項７】
第１爪は本体部から略垂直に突出する板状体であり、第２爪は本体部から略垂直に連結具結合穴の略穴厚分だけ突出した穴側面係止部とこの穴側面係止部から本体部とは遠ざかる側に曲折して本体部に略平行に伸張する穴縁面係止部とを有する断面Ｌ字状の板状体である請求項６記載の連結具。
【請求項８】
枝結合部は、本体部に設けたビス穴である請求項６または請求項７記載の連結具。
【請求項９】
本体部から突出し支柱の両側面に当接可能な一対のサイド片をさらに有する請求項６〜請求項８何れか１項記載の連結具。
【請求項１０】
前記枝結合部が前記本体部の四隅に位置し、
前記第１爪が前記本体部の下端中央から突出し、前記第２爪が前記本体部の上端中央から突出し、前記一対のサイド片が前記本体部の両端からそれぞれ突出している請求項９記載の連結具。
【請求項１１】
前記請求項６〜請求項１０何れか１項記載の連結具で連結される支柱であって、板状体が曲折してなる中空の四角柱状に形成され、連結具との当接面である前面と後面に、連結具と結合させる複数の連結具結合穴を有し、この連結具結合穴は前記板状体の肉厚を貫通する貫通孔として形成されている支柱。
【請求項１２】
前記請求項６〜請求項１０何れか１項記載の連結具で連結される枝状部材であって、この連結具と結合させる連結具結合部と、連結具によって支柱と連結した状態で支柱から外方に突出する棒状部と、を有する枝状部材。
【発明の詳細な説明】
【技術分野】
【０００１】  本発明は、サーフボードやウェットスーツ等の被収容用品を支えたり載せたりして収容することができる被収容用品支持具と、この被収容用品支持具の部品となる連結具、支柱、及び枝状部材に関する。
【背景技術】
【０００２】  サーフボードの収納方法は、様々あるが大きく分けて（１）壁などにフックを固定しそれに立てかけることで収納する方法、（２）棒を床と天井に固定しその棒にフックを固定することで収納する方法、（３）壁と壁に棒を突っ張らせそれに乗せる形で収納する方法の３つがある。【０００３】  しかし、３つともに課題がある。（１）は壁にビス穴を開けなければならず、賃貸の場合その方法を採用することができない。（２）（３）とも棒を突っ張らせて固定しているだけなので、横からの力に対して抵抗が弱い。また、突っ張る力を強めすぎると、壁が破損してしまうことにつながる。【０００４】  また、サーフボードを壁に立てかけて保管する方法もあるが、その場合床と接するサーフボードのお尻部分（以下；テール）が破損してしまったり、サーフボードを倒して破損させてしまったりと、様々な弊害が生じてくる。例えば、家族が複数名いる家庭の場合、特に子供がいる場合はその傾向が強くなってくる。１枚の収納でもそのような弊害が出てくるが、複数枚を収納する場合はよりそのリスクが高まってくる。一方、車の中に保管している場合もある。その場合は、日常生活環境下でぶつけるといったリスクは大幅に軽減されるが、日光や車内温度による劣化を引き起こす場合が多い。その結果、ボードの表面素材であるエポキシが極度に劣化し、簡単に割れてしまうようになる。このことからも、車中保管よりも、屋内保管がサーフボードには適している。【０００５】  一方、ウェットスーツの収納についても、課題がたくさんある。その代表例が、折りたたんでの収納ができない点だ。ラバー素材のウェットスーツを折りたたんで収納してしまうと、折り目の部分に折癖がついてしまい、そこから劣化が進んでしまうためだ。劣化が進んでしまうと、そこが裂けてしまい使用に絶えないものになってしまう。また、季節ごとに種類を変えて使用していくので、複数種類のウェットスーツを保有しなければならないことも課題である。多くの場合、洋服ダンスに保管するなど、サーフィン以外のものと共存する形で保管されている。その場合、ウェットスーツは大きくかさばるので、やはり家族からクレームが出てしまう。【０００６】  その結果、不本意ながら折りたたんで保管せざるを得ない状況もある。ウェットスーツが避けた場合の修理方法は、裂けた部分を縫い付けてから、ラバー製の補修液を塗布し直す方法がとられる。その結果、その部分が硬くなり、本来のラバー素材と補修部分の境目が新たな劣化を生んでしまう状況が多く発生している。【０００７】  これらを踏まえて、屋内の高い場所に保管をしようとすると、それを固定する道具、および器具が必要になってくる。それが、上述した壁に打ち付けるタイプのフックや棒を床と天井に突っ張らせるタイプの支柱とそれに付属させるフックが登場した。しかし、壁に打ち付けるフックは、家屋に傷をつけてしまうので、実用的ではないと考えられる。もし、持ち家なのでそれが可能だとしても、家族から反対されたり、部屋の模様替えをするときに位置を変えなければならない場合など、不都合が出てくるケースも多くある。【０００８】  つまり、外した際にビス穴が残ってしまい、問題が出てくることも予想される。特に、���貸住宅に住んでいる人にとっては、部屋を傷つけて行う不可能な方法である。また、つっぱり形式の保管については、床や壁に接する足部分に横からの力が加わるとすぐに外れてしまうという問題がある。【０００９】  その対策として、足部分の面積を大きくして安定感を出すという方法もあるが、その場合引っかかる確率もそれに伴って増加してしまう。また、足部分が強力に固定されていても、それを繋ぐ棒の部分が、たわむなどの影響を受けてしまう。その結果、それに付属されているフックが揺れてサーフボードが落下してしまう場合などもある。最悪の場合、突っ張り棒が外れて、その支柱やボードがまとめて落下してしまい、それが人にぶつかって怪我を招いてしまう場合もある。地震が発生する日本では、その可能性が大きくなると考えられる。また、天井に近い高さにフックを設置し、そこにサーフボードを保管する場合、そこから出し入れするとき等とても不便であるし、不注意による落下の可能性も高くなってくる。【００１０】  これらは一般家庭を想定しているが、テナント・店舗での使用でも同様のことが言える。定期的に模様替えを行うテナントの場合、その都度施設の補修が必要になると、余計なコストがかかることになってしまう。これらのことから、壁に打ち付ける方法や、突っ張り棒形式は実用的ではないと考えられる。【００１１】  収納ラックに関する従来技術としては、特開２００３−２３５６５２号公報（特許文献１）に記載がある。
【先行技術文献】
【特許文献】
【００１２】
【特許文献１】特開２００３−２３５６５２号公報
【発明の概要】
【発明が解決しようとする課題】
【００１３】  一般に、この種の製品で家庭や店舗用に販売されている製品は、耐重量が低く設定されている。例えば、上記にもある突っ張り棒形式のものは、重量物が乗せられると支柱部分がたわむなどして、外れてしまう場合がある。また、側面からの力には大変弱く、支柱が外れて転倒してしまう。一方、耐重量性を上げるためには、ビスや釘などの金物で固定する方法や、棚形式の頑丈で大きな構造をしたものが多い。【００１４】  ところが、実用する場合は、ビスや釘で壁に穴を開けて固定することが困難な場合も多数発生する。例えば、賃貸の場合、穴を開けることが禁止される場合や、もし可能でも現状復帰に多くの費用が発生する場合が多い。一方棚形式のものは多くの場所を占有してしまうので、現実的でない場合が多い。特に、子供がいる家庭の場合は、屋内収納を家族から拒否される時でさえある。【００１５】  また、このような固定式の製品は頻繁な取り外しを想定していないものが大半である。しかし、現実的には、日々の生活で発生する活動、例えば掃除や模様替えなどで取り外しが必要になる場合も多々ある。【００１６】  また、サーフボード、ウェットスーツ、その他道具を、効率的にコンパクトに収納できなければ、家族からのクレームは出てくるものと思われる。【００１７】  また、上記特開２００３−２３５６５２号公報（特許文献１）に記載の技術では、構造が複雑で加工が困難である。【００１８】  そこで本発明は、上記課題を解決するためになされたものであり、簡単な構造であり、取付け、取り外しが容易な構造を有する被収容用品支持具と、それに用いる連結具、支柱、及び枝状部材を提供することを目的とする。
【課題を解決するための手段】
【００１９】  上記課題を解決するために、本発明は以下のように構成される。即ち、
［１］被収容用品を支えたり載せたりする枝状部材と、この枝状部材を支える支柱と、枝状部材と支柱とを連結する連結具と、を有する被収容用品支持具において、
支柱は、
連結具との当接面にこの連結具と結合させる複数の連結具結合穴を有し、
連結具は、
支柱に当接する本体部と、
本体部から突出し支柱に設けた一の連結具結合穴に挿入され当該一の連結具結合穴の穴側面に係止する第１爪と、
本体部から突出し支柱に設けた他の一の連結具結合穴に挿入され当該他の一の連結具結合穴を貫通して曲折し、この他の一の連結具結合穴の穴側面及び穴縁に係止可能な第２爪と、枝状部材に結合させる枝結合部と、を有し、
枝状部材は、
連結具と結合させる連結具結合部と、
連結具によって支柱と連結した状態で支柱から外方に突出する棒状部と、を有する
ことを特徴とする被収容用品支持具である。【００２０】［２］前記支柱に結合し、載置面に対して支柱を自立支持する台座部をさらに有する前記被収容用品支持具である。
［３］前記支柱を複数有するとともに、この複数の支柱を結合して一体化する梁部材をさらに有する前記被収容用品支持具である。
［４］支柱、連結具及び枝状部材の少なくとも何れかが、金属、プラスチック、木材、又はこれらの組み合わせから選択された何れかの材料によって形成されたものである前記被収容用品支持具である。
［５］被収容用品がサーフボード又はウェットスーツである前記被収容用品支持具である。【００２１】  また、本発明は以下のように構成される。即ち、
［６］被収容用品を支えたり載せたりする枝状部材と、この枝状部材を支える支柱とを連結する連結具であって、
支柱に当接する本体部と、本体部から突出し支柱に設けた一の連結具結合穴に挿入され当該一の連結具結合穴の穴側面に係止する第１爪と、本体部から突出し支柱に設けた他の一の連結具結合穴に挿入され当該他の一の連結具結合穴を貫通して曲折しこの他の一の連結具結合穴の穴側面及び穴縁に係止可能な第２爪と、枝状部材に結合させる枝結合部と、を有する連結具である。【００２２】［７］第１爪は本体部から略垂直に突出する板状体であり、第２爪は本体部から略垂直に連結具結合穴の略穴厚分だけ突出した穴側面係止部とこの穴側面係止部から本体部とは遠ざかる側に曲折して本体部に略平行に伸張する穴縁面係止部とを有する断面Ｌ字状の板状体である前記連結具である。
［８］枝結合部は、本体部に設けたビス穴である前記連結具である。
［９］本体部から突出し支柱の両側面に当接可能な一対のサイド片をさらに有する前記連結具である。
［１０］前記枝結合部が前記本体部の四隅に位置し、前記第１爪が前記本体部の下端中央から突出し、前記第２爪が前記本体部の上端中央から突出し、前記一対のサイド片が前記本体部の両端からそれぞれ突出している連結具である。【００２３】  そしてまた、本発明は以下のように構成される。即ち、
［１１］前記何れかの連結具で連結される支柱であって、板状体が曲折してなる中空の四角柱状に形成され、連結具との当接面である前面と後面に、連結具と結合させる複数の連結具結合穴を有し、この連結具結合穴は前記板状体の肉厚を貫通する貫通孔として形成されている支柱である。【００２４】  あるいはまた、本発明は以下のように構成される。即ち、
［１２］前記何れかの連結具で連結される枝状部材であって、この連結具と結合させる連結具結合部と、連結具によって支柱と連結した状態で支柱から外方に突出する棒状部と、を有する枝状部材である。
【発明の効果】
【００２５】  本発明によれば、被収容用品を安定して支持し収容することができる。
更に本発明によれば、簡単に組み立てることができ、住環境や被収容用品などの違いに応じて柔軟に変更できるバリエーション豊かな被収容用品支持具である。
【図面の簡単な説明】
【００２６】
【図１】第１実施形態の被収容用品支持具の斜視図である。
【図２】図１の被収容用品支持具を示す図であり、分図２（ａ）は左側面図、分図２（ｂ）は正面図、分図２（ｃ）は右側面図、分図２（ｄ）は平面図、分図２（ｅ）は背面図である。
【図３】支柱と連結具を説明する図であり、分図３（ａ）は斜視図、分図３（ｂ）は正面図、分図３（ｃ）は分図３（ｂ）のＡ−Ａ線断面図、分図３（ｄ）は分図３（ｃ）のＢ部拡大図、分図３（ｅ）は分図３（ｂ）のＣ−Ｃ線断面図、分図３（ｆ）は分図３（ｅ）の拡大図である。
【図４】連結具を示す図であり、分図４（ａ）は斜視図、分図４（ｂ）は別の角度からの斜視図、分図４（ｃ）は側面図である。
【図５】第１実施形態の変形例である被収容用品支持具であり、分図５（ａ）は右側図面、分図５（ｂ）は正面図、分図５（ｃ）は左側図面、分図５（ｄ）は背面図、分図５（ｅ）は底面図、分図５（ｆ）は底面図、分図５（ｇ）は斜視図である。
【図６】第２実施形態の被収容用品支持具であり、分図５（ａ）は右側図面、分図５（ｂ）は正面図、分図５（ｃ）は左側図面、分図５（ｄ）は背面図、分図５（ｅ）は底面図、分図５（ｆ）は底面図、分図５（ｇ）は斜視図である。
【発明を実施するための最良の形態】
【００２７】  本発明の被収容用品支持具とその部品について以下に詳しく説明する。いくつかの実施形態において、各被収容用品支持具を構成する同じ部品には同じ符号を付け、また重複する機能、材質、作用効果等についてはその説明を省略する。【００２８】  第１実施形態：［図１〜図４］
本実施形態の被収容用品支持具１０を図１と図２に示す。被収容用品支持具１０は、支柱１１と、連結具１２と、枝状部材１３と、台座部１４と、梁部材１５とを備えており、室内や物置、店舗内、あるいは店舗の入り口等に置き、枝状部材１３の間にサーフボード等の被収容用品を立てかけて支えたり、枝状部材１３の上に被収容用品を載置したり、あるいはまた、枝状部材の先にウェットスーツ等の被収容用品を引っ掛けたりして、これらの被収容用品を収める用途に用いるものである。【００２９】  支柱１１は、枝状部材１３を支える部材であり、枝状部材１３は被収容用品を支えたり載せたりする部材であり、連結具１２は、支柱１１と枝状部材１３とを互いに連結して固定する部材である。また、台座部１４は、室内における床面や屋外における地面等の載置面に被収容用品支持具１０を置くときに、支柱１１を壁面等に立て掛けることなくそれ自体で立つ（以下「自立支持」という）ようにする部材である。そして、梁部材１５は、複数の支柱１１に結合してそれらを一体化する部材である。【００３０】  これらの各部材は、金属やプラスチック、木材、又はこれらの組み合わせ等の材料によって形成することができる。重荷重にも耐えられるように全ての部材を金属製とすることは好ましい一態様であるが、支柱１１や連結具１２を鉄製とするとともに、枝状部材１３を、デザイン性が要求され、細やかな形状を表出できる木製とすることも別の好ましい一態様である。【００３１】  図３には、支柱１１と連結具１２を示す。支柱１１と連結具１２との関係を説明するため、図３では、枝状部材１３等の部分は省略している。【００３２】  この図３で示すように、支柱１１の前面１１ａには、縦一列に並んだ複数の連結具結合穴１６を有している。連結具結合穴１６は、後述する連結具１２の爪が挿入され、連結具１２を支柱１１に結合させる機能を有するものである。複数の連結具結合穴１６は、連結具１２が挿入される際の組合せが増すなどの理由から等間隔に設けることが好ましいが、被収容部品の種類に応じて、支柱１１の下側では間隔を広くするなど適宜間隔を調整して設けることができる。但し、連結具１２に備わる２つの爪の双方を挿入できるように、２つの爪の間の長さに対応する所定の間隔を有する１対の連結具結合穴１６を備える必要があることから、任意の一の連結具結合穴１６に対して、前記所定の間隔を有する他の一の連結具結合穴１６が存在するように複数の連結具結合穴１６を設ける。【００３３】  連結具結合穴１６の開口は、連結具１２の爪が挿入された状態で収まりが良いように直線を利用している。換言すれば、連結具結合穴１６の支柱１１の前面１１ａに表れる開口は支柱１１の長さ方向に垂直な方向に長手方向を有する長方形状に形成されている。【００３４】  支柱１１の材質は、枝状部材１３や被収容部品の荷重に耐えられるように高い強度を持った金属製であることが好ましい。例えば、鋼製の板材を曲げ加工し、断面をコ字状に形成した２枚の板材を準備し、側面１１ｂで重ね合わせて中空の四角柱状の支柱１１を形成することができる。こうすることで、支柱１１の後面１１ｃにも前面１１ａと同様に複数の連結具結合穴１６を設け、支柱１１の前後に枝状部材１３を配置することができる。枝状部材１３の伸張方向を、支柱１１の前面１１ａだけでなく後面１１ｃにも拡大することで、収容できる被収容用品を増やし、合理的な収容を実現できる。また、内部に空洞ができるように板材から支柱１１を形成するため、連結具結合穴１６は貫通孔となり、連結具１２の爪が引っかかり易くなる。【００３５】  図４には連結具１２を示す。この図４で示すように、連結具１２は、支柱１１に当接する本体部１２ａと、この本体部１２ｂから突出して支柱１１の連結具結合穴１６に挿入される２つの爪１２ｂ，１２ｃと、同じく本体部１２ｂから突出して支柱１１の両側面１１ｂに当接する一対のサイド片１２ｄ，１２ｅと、を有している。また、本体部１２ａには、枝状部材１３に結合させる枝結合部としてのビス穴１２ｆを有している。【００３６】  ２つの爪１２ｂ，１２ｃは、それぞれ第１爪１２ｂと第２爪１２ｃである。第１爪１２ｂは、本体部１２ａから略垂直に突出する板状体であり、図３（ｄ）で示すように、一つの連結具結合穴１６に挿入されこの連結具結合穴１６の穴側面１６ａに係止する。また、第２爪１２ｃは、本体部１２ａから略垂直に連結具結合穴１６の穴厚分程度突出して連結具結合穴１６を貫通した後、そこから本体部１２ａから遠ざかる側に曲折して本体部１２ａに略平行に伸張しており、図３（ｄ）で示すように、断面がＬ字状に形成された板状体である。第２爪１２ｃは、本体部１２ａから略垂直に突出した穴側面係止部が連結具結合穴１６の穴側面１６ａに係止し、そこから曲折して本体部１２ａに略平行に伸張する穴縁面係止部が連結具結合穴１６の穴縁となる支柱１１の内周面１１ｄに係止する。【００３７】  第１爪１２ｂも第２爪１２ｃもその横幅は、連結具結合穴１６の横幅よりも若干短くしており、また、その先端は角を切り欠いている。こうすることで、爪１２ｂ，１２ｃを連結具結合穴１６に挿入し易くしている。第１爪１２ｂは、支柱１１の前面１１ａに対して垂直に支柱１１内部に向かって突出するので、本実施形態のように後面１１ｃに設けた連結具結合穴１６に挿入される第１爪１２ｂとぶつからない長さとするか、支柱１１の前面１１ａと後面１１ｃとで連結具結合穴１６の位置が一致しないように連結具結合穴１６の位置を調整する。【００３８】  サイド片１２ｄ，１２ｅは、本体部１２ａの両側端から本体部１２ａに略垂直に板状に突出しており、連結具１２を支柱１１に取り付ける際のガイドになるとともに、支柱１１に取り付けられた後は、枝状部材１３の横ぶれ防止として機能する。ガイドの役割とするために、サイド片１２ｄｅ，１２ｅの先端は本体部１２ａから離れる外側に向けて曲げて形成することができる。なお、サイド片１２ｅ，１２ｅは、連結具１２を支柱１１に固定するものではないが、本体部１２ａに連結する基端からやや内側に向けて突出させて形成し、支柱１１の側面１１ｂに圧着固定するように形成してもよい。【００３９】  連結具１２を連結具結合穴１６に挿入して結合するには次のように操作する。まず、第２爪１２ｃの先端が連結具結合穴１６に対して垂直になるように、即ち、支柱前面１１ａに対して連結具１２の本体部１２ａが垂直に向く位置で第２爪１２ｃを連結具結��穴１６に挿入する。第２爪１２ｃの根本まで挿入した段階で、この第２爪１２ｃの根本を回転軸として本体部１２ａを支柱１１の前面１１ａに向けて（換言するならば図３の紙面の下側に向けて）倒すように回転させることにより、連結具１２を支柱前面１１ａに容易かつ強固に連結することができる。
このとき、サイド片１２ｄ，１２ｅがガイドとして本体部１２ａの傾倒を助け、第１爪１２ｂが別の連結具結合穴１６に挿入していき、回転の終了により本体部１２ａが支柱前面１１ａに当接するとともに、第１爪１２ｂは連結具結合穴１６への挿入が完了する。また、第２爪の先端は連結具結合穴１６の穴縁面（支柱１１の内周面１１ｄ）に沿うようになる。こうして連結具１２の支柱１１への取付けが完了する。【００４０】  枝状部材１３は、連結具１２と結合させる連結具結合部（図示せず）と、連結具１２によって支柱１１と連結した状態で支柱１１から外方に突出する棒状部１３ａと、を有している。連結具結合部は、本実施形態では連結具１２に設けたビス穴１２ｆに差し込むネジとして構成することができる。連結具１２と枝状部材１３との連結は、枝状部材１３に設けた連結具結合部としてのネジを、連結具１２の枝結合部としてのビス穴１２ｆに入れて固定する他、ビス穴１２ｆから突き出たネジをナットで固定する方法を採用することができる。【００４１】  図１や図２に示す被収容用品支持具１０では、連結具１２に結合する基端部に４本または３本の棒状部１３ａが結合した熊手状の形状に枝状部材１３を形成しているが、棒状部１３ａの大きさ、形状、個数は適宜選択して適用することができる。【００４２】  即ち、連結具１２に設けた４つのビス穴１２ｆを利用して様々なパーツ（枝状部材１３）を接続することができ、様々な形態に自由に組み立てることができるようになり、環境的要因に柔軟に対応できる。また、ビス止めにすることで、ユーザーが手軽に取り外しでき、運用性の向上にも寄与する。【００４３】  台座部１４や梁部材１５は、適宜支柱１１に対してビス留めして結合することができる。台座部１４を設けることで、支柱１１を自立支持できるようになる。梁部材１５で複数の支柱１１を固定することで、支柱１１の安定性を増大させることができる。そして、台座部１４や梁部材１５による補強構造により連結具１２に設けた４つのビス穴１２ｆを活用して様々な枝状部材１３を接続しても安定して保持することができ、その結果、住環境、収納物などの要件に柔軟に対応でき、活用の幅が広くなる。こうした構造は、枝状部材１４と結合した連結具１２を、支柱１１の連結具結合穴１６に引っ掛けるだけで簡単に組み立てて得ることができる。【００４４】  このように、前記構成からなる被収容用品支持具１０は、従来の支持具やラック類が重力を上から下へのベクトルとして活用して固定しているのに対し、第１爪１２ｂを起点に回転運動を働かせ、それを第２爪１２ｃの穴縁面係止部で止めて固定している。そのため、従来品が１点固定であるのに対して、被収容品支持具１０は第１爪１２ｂが連結具結合穴１６の穴側面１６ａに当接して連結具１２の重量を支えながら、第２爪１２ｃが支柱１１の内側に引っかかる２点固定であるので安定性が増大している。加えて、上記穴縁面係止部での係止が、板状の第２爪１２ｃの平坦面と支柱１１の平坦な内周面１１ｄとの対向係止により行われるので、この点でも安定性が増大しており、枝状部材１３とそれに収容される被収容用品を容易に安心して収容することができる。【００４５】  本実施形態の連結具１２の第１爪１２ｂは、本体部１２ａの下端中央から幅広に突出し、また第２爪１２ｃは本体部１２ａの上端中央から幅広に突出して、幅広の連結具結合穴１６に挿入されて係合することから、支柱１１の長さ方向に長く形成される縦長の連結具結合穴とそれに挿入する縦長の第１爪１２ｂ，第２爪１２ｃとした場合に比べて、横方向、即ち支柱１１を回転軸とする回転方向への動きが抑制される。また、連結具１２ではサイド片１２ｄ，１２ｅを有しているため、このサイド片１２ｄ，１２ｅと相俟ってさらに横方向への動きが抑制されて、支柱１１にしっかりと固定することができる。【００４６】  連結具１２はまた、第１爪１２ｂ，第２爪１２ｃの両爪とも、本体部１２ａの端部である一辺のその中央部分から突出しており、その一辺の両端部分には第１爪１２ｂ，第２爪１２ｃは形成されていない。第１爪１２ｂ，第２爪１２ｃを本体部１２ａの一辺の中央部分から突出したのは支柱１１に設けた連結部結合穴１６の位置に合わせるためであるが、本体部１２ａの内部ではなく端部である一辺から突出させたため、この第１爪１２ｂや第２爪１２ｃが形成されていない前記一辺の両端部分から本体部１２ａの四隅に設けた枝結合部であるビス穴１２ｆを直前に臨むことができる。これにより被収容用品支持具１０の使用中に枝状部材１３との結合が弱まったときに、枝状部材１３を外すことなくビスを締め直すことができ便利である。【００４７】  一方、第１爪１２ｂや第２爪１２ｃと異なり、サイド片１２ｄ，１２ｅは、本体部１２ａの端部である一辺の全体を基端として突出して支柱１１に嵌まるようにしている。そのため、連結具１２の高さ方向の長さを最大限利用して本体部１２ａを正面視した場合の時計回り及び反時計回り方向への回転を抑制することができる。さらに、サイド片１２ｄ，１２ｅは先端側ほど長さが短くなるような台形状に形成してあり、支柱１１へのはめ込みの妨げになり難くされていることに加え、前記ビス穴１２ｆのサイド片１２ｄ，１２ｅ側が開放され、被収容用品支持具１０が組み立てられた状態でのビス穴１２ｆへのアクセスが容易となり、第１爪１２ｂや第２爪１２ｃの位置とも相俟って、枝状部材１３を外すことなくビスの締め直しを容易に行うことができる。【００４８】  被収容用品支持具１０は、主に家庭や店舗におけるスポーツ用品を収容するものとして利用でき、特に、サーフィン等の横乗り系マリンスポーツ系の道具、例えば、サーフボードやウェイクボードなどを収容できる。また、スポーツ用品以外でも、自転車やトイガン、楽器なども収容することができる。既存製品では突っ張り棒形式のラックや単一機能の大柄収納箱のような製品が殆どであって、突っ張り棒は、横揺れに弱いなどの構造的欠点があり、大型収納箱は広いスペースが必要になってくるなど、収納に際し、制約が多すぎて実用に耐えないものが殆どであって実用的に課題が多くあったのに対し、被収容用品支持具１０はこうした課題を解決し好適に利用することができる。【００４９】  第１実施形態の変形例：［図５］
変形例である被収容用品支持具２０を図５に示す。被収容用品支持具２０は、図５で示すように枝状部材１３の形状と組合せを変更したものである。連結具１２や支柱１１等の構成については先の実施形態で説明したものと同じである。【００５０】  第２実施形態：［図６］
第２実施形態である被収容用品支持具３０を図６に示す。被収容用品支持具２０は、図６で示すように枝状部材１３を支柱１１から斜め下方に突出し先端で水平部分を有するものとして形成したものである。連結具１２や支柱１１等の構成については先の実施形態で説明したものと同じである。【００５１】  上記実施形態は本発明の例示であり、本発明の趣旨を逸脱しない範囲で、実施形態の変更または公知技術の付加や、組合せ等を行い得るものであり、それらの技術もまた本発明の範囲に含まれるものである。
【産業上の利用可能性】
【００５２】  本発明は、様々な形態にカスタマイズさせながら、用途に合わせて柔軟に利用できるラックとして、産業上の利用可能性が大きい。
【符号の説明】
【００５３】  １０，２０，３０  被収容用品支持具
１１  支柱
１１ａ  前面
１１ｂ  側面
１１ｃ  後面
１１ｄ  内周面
１２  連結具
１２ａ  本体部
１２ｂ  第１爪
１２ｃ  第２爪
１２ｄ，１２ｅ  サイド片
１２ｆ  ビス穴（枝結合部）
１３  枝状部材
１３ａ  棒状部
１４  台座部
１５  梁部材
１６  連結具結合穴
１６ａ  穴側面
１７  第１爪
１８  第２爪
【図１】
2019048014.tif 000003
【図２】
2019048014.tif 000004
【図３】
2019048014.tif 000005
【図４】
2019048014.tif 000006
【図５】
2019048014.tif 000007
【図６】
2019048014.tif 000008